(57)【要約】 【課題】  ２つの視方向に対する個別の画像のサブ画素がゲートライン方向に隣接した２画面画像はゲートライン方向にクロストークを生じやすい。そこで、見かけ上の１階調未満のクロストーク補正を行う【解決手段】  補正対象のサブ画素の階調をその隣接サブ画素の階調に基づいて補正するクロストーク補正部６とを備えた２画面表示装置１であって、  クロストーク補正部６はＮ（Ｎは２以上の正整数）フレーム中にＫ（Ｋは整数）階調の前記加算補正データをＮ１（Ｎ１はＮ未満の正整数）フレーム行い、Ｋ＋１階調の前記加算補正データをＮ−Ｎ１フレーム行う。【選択図】      図１
2008262157.tif 000002
【特許請求の範囲】
【請求項１】
サブ画素の輝度の階調表示が設定され、２つの視方向に対する個別の画像のサブ画素が
ゲートライン方向に隣接した２画面画像を出力する２画面合成部と、補正対象のサブ画素
の階調をその隣接サブ画素の階調に基づいて補正するクロストーク補正部とを備えた２画
面表示装置であって、
前記クロストーク補正部はＮ（Ｎは２以上の正整数）フレーム中にＫ（Ｋは整数）階調
の前記補正をＮ１（Ｎ１はＮ未満の正整数）フレーム行い、Ｋ＋１階調の前記補正をＮ−
Ｎ１フレーム行うことを特徴とする２画面表示装置。
【請求項２】
ゲートライン方向の隣接サブ画素間の階調に対応した補正データが予め求められて格納
されたデータテーブルを備え、前記クロストーク補正部は前記データテーブルに基づいて
補正することを特徴とする請求項１に記載の２画面表示装置。
【請求項３】
前記データテーブルは１階調置きのマトリクスで構成され且つ整数階調の補正データが
格納され、前記クロストーク補正部は１階調置きに飛ばした階調の補正データを前記デー
タテーブルより補間計算により求めることを特徴とする請求項２に記載の２画面表示装置
。
【請求項４】
前記クロストーク補正部はＮ＝４とすることを特徴とする請求項３に記載の２画面表示
装置。
【請求項５】
前記クロストーク補正部は同一視方向の画像の同一フレームに前記Ｋ階調の補正を行う
サブ画素と前記Ｋ＋１階調の補正を行うサブ画素を混在させることを特徴とする請求項１
に記載の２画面表示装置。
【請求項６】
所定数のサブ画素を１ブロックとした複数のブロックで同一視方向の画像を構成し、１
周期のＮフレームにおいて前記K階調の補正と前記Ｋ＋１階調の補正を行う順序を定めた
配列番号を１からＮまで設定し、１ブロックのサブ画素に割り当てる前記配列番号の１か
らNまでの個数が同じになるようにしたことを特徴とする請求項５に記載の２画面表示装
置。
【請求項７】
２つの視方向に対する個別の画像のサブ画素は市松模様に配置され、同一視方向の画像
且つ同一階調補正の一対の赤色・緑色・青色のサブ画素配置は一方の個別の画像がＶ文字
となり他方の個別の画像がΛ文字となっていることを特徴とする請求項５に記載の２画面
表示装置。
【請求項８】
２つの視方向に対する個別の画像のサブ画素は市松模様に配置され、同一視方向の画像
且つ同一階調補正の一対の赤色・緑色・青色のサブ画素配置は２つの個別の画像が同じ方
向の斜めになっていることを特徴とする請求項５に記載の２画面表示装置。
【請求項９】
２つの視方向に対する個別の画像のサブ画素は市松模様に配置され、同一視方向の画像
且つ同一階調補正の一対の赤色・緑色・青色のサブ画素配置は２つの個別の画像が互いに
異なる方向の斜めになっていることを特徴とする請求項５に記載の２画面表示装置。
【請求項１０】
２つの視方向に対する個別の画像のサブ画素は市松模様に配置され、同一視方向の画像
且つ同一階調補正の一対の赤色・緑色・青色のサブ画素配置は１サブ画素置きの斜めにな
っていることを特徴とする請求項５に記載の２画面表示装置。
【請求項１１】
２つの視方向に対する個別の画像のサブ画素は市松模様に配置され、同一視方向の画像
且つ同一階調補正の一対の赤色・緑色・青色のサブ画素配置は奇数番目のフレームの並び
模様と偶数番目のフレームの並び模様を異ならせたことを特徴とする請求項５に記載の２
画面表示装置。
【請求項１２】
２つの視方向に対する個別の画像のサブ画素は市松模様に配置され、同一視方向の画像
且つ同一階調補正の一対の赤色・緑色・青色のサブ画素配置は奇数番目・偶数番目の一方
のフレームを斜めにし他方のフレームをＶ文字あるいはΛ文字にしたことを特徴とする請
求項５に記載の２画面表示装置。
【請求項１３】
前記Ｋ階調の補正とＫ＋１階調の補正の領域の混在パターンを複数有し、外部入力によ
り前記パターンを選択させる選択部を備えたことを特徴とする請求項５に記載の２画面表
示装置。
【請求項１４】
前記Ｎの値が異なるモードを複数備え、外部入力により前記モードを選択させる選択部
を備えたことを特徴とする請求項１に記載の２画面表示装置。
【請求項１５】
同一の階調において緑色のサブ画素の輝度は赤色のサブ画素と青色のサブ画素の輝度よ
りも高く、２つの視方向に対する個別の画像のサブ画素は市松模様に配置され、同一視方
向の画像におけるサブ画素配置は緑色のサブ画素を中心としてその左上、右上、左下、右
下、左、右の６つの同一視方向のサブ画素に緑色のサブ画素を配設しないことを特徴とす
る請求項５に記載の２画面表示装置。
【請求項１６】
２つの視方向に対する個別の画像のサブ画素は市松模様に配置され、同一視方向の画像
におけるサブ画素配置をＮフレーム中に１フレームＫ＋１階調行うところのＫ＋１階調の
同色の３つのサブ画素がフレーム変化によって２連続で隣接の画素へ移動することがない
配置にすることを特徴とする請求項５に記載の２画面表示装置。
【請求項１７】
１画素を赤色緑色青色の３つのサブ画素で構成し、該サブ画素の輝度の階調表示が設定
され、２つの視方向に対する個別の画像のサブ画素がゲートライン方向に隣接した２画面
画像を出力する２画面合成部と、補正対象のサブ画素の階調をその隣接サブ画素の階調に
基づいて補正するクロストーク補正部とを備え、
前記クロストーク補正部はＮ（Ｎは２以上の正整数）フレーム中にＫ（Ｋは整数）階調
の前記補正をＮ１（Ｎ１はＮ未満の正整数）フレーム行い、Ｋ＋１階調の前記補正をＮ−
Ｎ１フレーム行い、同一視方向の画像におけるサブ画素を１ブロックがＭ１個とした複数
のブロックで構成し、１周期のＮフレームにおいて前記Ｋ階調の補正と前記Ｋ＋１階調の
補正を行う順序を定めた配列番号を１からＮまで設定し、１ブロックのサブ画素に割り当
てる前記配列番号の１からＮまでの個数が同じになるようにし、同一階調において緑色の
サブ画素の輝度は赤色のサブ画素と青色のサブ画素の輝度に対して略Ｌ倍の輝度を有する
２画面表示装置であって、
緑色のサブ画素の輝度は赤色のサブ画素と青色のサブ画素の輝度のＬ倍として計算し、
判定対象のサブ画素とその近接サブ画素の数が合計Ｍ２となるグループを１ブロック内に
設定し、
前記１ブロックの全サブ画素の補正は前記Ｋ階調の補正をＮ−１フレーム行い、前記Ｋ
＋１階調の補正を１フレーム行うものとしたときに、１ブロックの全サブ画素に、１グル
ープにおける１サブ画素の平均輝度がブロックにおける１サブ画素の平均輝度と略同じに
なるときがＮフレーム中に少なくとも１回はある、前記配列番号の１ブロックへの割り当
てパターンであることを特徴とする２画面表示装置。
【請求項１８】
１画素を赤色緑色青色の３つのサブ画素で構成し、該サブ画素の輝度の階調表示が設定
され、２つの視方向に対する個別の画像のサブ画素が市松模様に配置された２画面画像を
出力する２画面合成部と、補正対象のサブ画素の階調をその隣接サブ画素の階調に基づい
て補正するクロストーク補正部とを備え、
前記クロストーク補正部はＮ（Ｎは２以上の正整数）フレーム中にＫ（Ｋは整数）階調
の前記補正をＮ１（Ｎ１はＮ未満の正整数）フレーム行い、Ｋ＋１階調の前記補正をＮ−
Ｎ１フレーム行い、同一視方向の画像におけるサブ画素を１ブロックがＭ１個とした複数
のブロックで構成し、１周期のＮフレームにおいて前記Ｋ階調の補正と前記Ｋ＋１階調の
補正を行う順序を定めた配列番号を１からＮまで設定し、１ブロックのサブ画素に割り当
てる前記配列番号の１からＮまでの個数が同じになるようにした２画面表示装置であって
、
前記１ブロックの全サブ画素の補正は前記Ｋ階調の補正をＮ−１フレーム行い、前記Ｋ
＋１階調の補正を１フレーム行うものとしたときに、１ブロックの全サブ画素が、判定対
象のサブ画素の第１隣接画素の同色のサブ画素がＫ＋１階調となるフレーム順番と、判定
対象のサブ画素がＫ＋１階調となるフレーム順番と、判定対象のサブ画素の第２隣接画素
の同色のサブ画素がＫ＋１階調となるフレーム順番の３つの順番が連番になっていない、
前記配列番号の１ブロックへの割り当てパターンであることを特徴とする２画面表示装置
。
【発明の詳細な説明】
【技術分野】
【０００１】
本発明は、２つの個別画像を視方向により夫々判別可能な画面を同一画面に表示する２
画面表示装置に関し、特に１階調未満のクロストーク補正を行う２画面表示装置に関する
。
【背景技術】
【０００２】
従来より、液晶表示装置は、テレビ受像機や情報機器等に搭載される表示装置として、
広く使用されている。その一方で、近年の情報機器等の多様化に伴い、一つの画面に複数
の画像を重ねて表示し、第１の観察領域に第１の画像を提供し、第２の観察領域に第２の
画像を提供する２画面表示装置が知られている（下記特許文献１参照）。
【０００３】
以下において、この従来の２画面表示装置について図面を参照して説明する。なお、図
１８は従来例に係る２画面表示装置の断面図である。図１８に示すように、従来例に係る
２画面表示装置５０は、第１の画像を表示する第１のサブ画素列５１ａと第２の画像を表
示する第２のサブ画素列５１ｂとが交互に配置されてなる液晶表示パネル５２を備えてい
る。ここで、赤色・緑色・青色（以降ＲＧＢと記す。）個々の素子単位をサブ画素といい
、ＲＧＢの３つのサブ画素をまとめて画素という（カラーでなく、白黒の場合はサブ画素
＝画素となる。）。また、第１及び第２のサブ画素列５１ａ，５１ｂは、例えば液晶表示
装置の各サブ画素からなる。また、第１及び第２のサブ画素列５１ａ，５１ｂの各画素間
にはブラックマトリクス５３が形成されている。そして、液晶表示パネル５２の上方には
、図示しない厚さＧのガラス基板等の透明基板を介して、遮光機能を有した金属もしくは
樹脂等からなる遮光板５４が配置されている。この遮光板５４は第１の画素列５１ａ及び
第２のサブ画素列５１ｂに対して平行に交互に延びる遮光部５５及び開口部５６を備えて
いる。
【０００４】
次に、上記構成の２画面表示装置５０により２画面表示が実現される仕組みについて説
明する。図１８に示すように、遮光板５４の表面から距離Ｄだけ離間した液晶表示パネル
５２の真正面の位置Ｃから左方向に離れた第１の観察領域Ａには、遮光板５４の開口部５
６を通して第１のサブ画素列５１ａから第１の画像が提供される。このとき、第２のサブ
画素列５１ｂの第２の画像は、遮光板５４の遮光部５５により遮られるため、第１の観察
領域Ａには提供されない。
【０００５】
一方、液晶表示パネル５２の真正面の位置Ｃから右方向に離れた第２の観察領域Ｂには
、遮光板５４の開口部５６を通して第２のサブ画素列５１ｂから第２の画像が提供される
。このとき、第１のサブ画素列５１ａの第１の画像は、遮光板５４の遮光部５５により遮
られるため、第２の観察領域Ｂには提供されない。こうして、第１の観察領域Ａに第１の
画像を提供し、第２の観察領域Ｂに第２の画像を提供する２画面表示が行われる。
【０００６】
このような２画面表示装置５０は、例えば、自動車内において運転席と助手席との間に
この２画面表示装置５０を配置した場合、運転席と助手席とでは２画面表示装置５０の観
察方向が異なるから、運転席の者には例えばカーナビゲーション装置の映像を観察できる
ようにし、助手席の者にはその他の映像を観察できるようにすることができる。
【０００７】
しかしながら、一般に液晶表示パネル内の隣り合うサブ画素間に大きな電位差がある場
合、その電位差の影響によって輝度レベルに変化が現れることが知られている。２画面表
示装置においては、互いに異なる内容の画像（例えば、ナビゲーション装置の場合は運転
席方向にナビゲーション画像を表示させ、助手席方向にＤＶＤ再生画像を表示させる。）
のサブ画素が隣り合うために、画素間に大きな電位差が生じることが多い。
【０００８】
この電位差は２画面表示時にゲートライン方向である水平方向にクロストークとなって
表れる。図１９を用いてこの現象を説明する。なお、図１９（ａ）は左側及び右側のそれ
ぞれの入力画像と２画面表示時の画像を示す模式図であり、図１９（ｂ）は２画面表示装
置の画素毎の輝度レベルを表す図であり、図１９（ａ）及び図１９（ｂ）においては、第
１の観察位置（左側）を三角枠で囲み、第２の観察位置（右側）を四角枠で囲んで表すこ
とによって右側及び左側を区別している。
【０００９】
例えば、図１９（ａ）に示すように、左側用の入力画像が中央の黒ボックス画像とその
周囲の中間調ベタ画像からなり、右側用の入力画像が全面中間調ベタ画像からなる場合、
２画面表示時には、左側の画像は入力画像のとおりに表示されるが、右側にクロストーク
が発生して左側の黒ボックス画像に対応する位置に輝度の変化した領域が観察される。
【００１０】
このときの各サブ画素の輝度レベルは図１９（ｂ）に示したとおりとなる。すなわち、
２画面表示時には、左側及び右側の入力画像がともに同じ中間調ベタ領域では各サブ画素
の輝度レベルに変化はないが、左側の入力画像が黒ベタ領域となる部分では、左側に対応
する画素電極に印加される電圧と隣り合う右側に対応する画素電極に印加される電圧との
差が大きくなるため、右側のサブ画素の輝度が図１９（ｂ）に矢印で示したように中間ベ
タ画像に対応する輝度よりも押し上げられ（表示する映像によっては下がる場合もある）
、右側の表示領域において左側の黒ベタ領域に似た形状に輝度に変化が生じる。これが２
画面表示時の水平クロストークである。
【００１１】
発明者らはこのような２画面表示装置における水平方向クロストークを解消すべく種々
検討を重ねた結果、隣り合うサブ画素間の各階調差に起因する輝度の変化量を予め実験的
に求めて補正データテーブルを作成しておき、２画面合成時に補正対象のサブ画素データ
とその右隣のサブ画素データから補正データテーブル上の変化量を求めて補正対象のサブ
画素データを補正し、この操作を全てのサブ画素データに対して適用することによって水
平方向クロストークを解消することを考えた。
【特許文献１】特開２００５− ２５８０１６号公報（特許請求の範囲、段落［００２６］〜［００３６］、図１）
【発明の開示】
【発明が解決しようとする課題】
【００１２】
しかしながら、実験的に求めた補正用データは整数ではなく、これを整数に変換しなけ
れば液晶パネルのドライバーを駆動させることができず、１階調単位のクロストーク補正
になるという課題があった。
【００１３】
また、発明者らはメモリの容量を削減するために補正データテーブルの奇数階調を除い
た偶数階調のマトリクスで構成し、奇数階調の補正用データは偶数階調の整数の補正用デ
ータを補間で算出する方法を考えた。この場合も奇数階調の補正用データが整数にならず
、整数に変換しなければならず、１階調単位のクロストーク補正になるという課題があっ
た。
【００１４】
また、実験データを回帰分析して（最小二乗方法で）補正データを近似的に階調差の線
形方程式を求め、この線型方程式より補正データを算出することも可能である。回帰分析
以外の方法でも補正データを算出することは可能であるが、いずれも補正データが小数を
含むことがあるという課題があった。
【００１５】
このように、実験データや補正データテーブルの補間や方程式などの算出では補正デー
タが小数を含むことがあるが、小数の補正でなく、１階調単位のクロストーク補正になる
という課題があった。
【００１６】
本発明は上述の課題に鑑みてなされたものであり、補正用データが整数でなければ液晶
パネルのドライバーを駆動させることができないという制約があっても、見かけ上の１階
調未満のクロストーク補正を行ってクロストークを更に低減させることを目的とする。
【課題を解決するための手段】
【００１７】
上記課題を解決するために、本発明の２画面表示装置は、サブ画素の輝度の階調表示が
設定され、２つの視方向に対する個別の画像のサブ画素がゲートライン方向に隣接した２
画面画像を出力する２画面合成部と、補正対象のサブ画素の階調をその隣接サブ画素の階
調に基づいて補正するクロストーク補正部とを備えた２画面表示装置であって、
前記クロストーク補正部はＮ（Ｎは２以上の正整数）フレーム中にＫ（Ｋは整数）階調
の前記加算補正データをＮ１（Ｎ１はＮ未満の正整数）フレーム行い、Ｋ＋１階調の前記
加算補正データをＮ−Ｎ１フレーム行う
これにより、見かけ上の１階調未満のクロストーク補正を行うことができ、クロストー
クを更に低減させることができる。
【００１８】
また、ゲートライン方向の隣接サブ画素間の階調に対応した補正データが予め求められ
て格納されたデータテーブルを備え、前記クロストーク補正部は前記データテーブルに基
づいて補正する。
【００１９】
従来はデータテーブルに１階調未満の補正データを格納しても、１階調単位でしか補正
できなかったが、データテーブルに１階調未満の補正データを格納し、１階調未満で補正
することができる。
【００２０】
また、前記データテーブルは１階調置きのマトリクスで構成され且つ整数階調の補正デ
ータが格納され、前記クロストーク補正部は１階調置きに飛ばした階調の補正データを前
記データテーブルより補間計算により求める。
【００２１】
これにより、補間で算出した補正データが整数でなくても、見かけ上の１階調未満のク
ロストーク補正を行うことができ、クロストークを更に低減させることができる。
【００２２】
また、前記クロストーク補正部はＮ＝４とする。この補間計算は２つの整数の平均か４
つの整数の平均となるので、補間算出されたデータは全て補正の最小単位になっている。
【００２３】
また、前記クロストーク補正部は同一視方向の画像の同一フレームに前記Ｋ階調の補正
を行うサブ画素とＫ＋１階調の補正を行うサブ画素を混在させる。
【００２４】
これにより、隣接フレームの階調を１階調異ならせることによって生じるフリッカ（ち
らつき）を軽減させることができる。
【００２５】
また、所定数のサブ画素を１ブロックとした複数のブロックで同一視方向の画像を構成
し、１周期のＮフレームにおいて前記K階調の補正と前記Ｋ＋１階調の補正を行う順序を
定めた配列番号を１からＮまで設定し、１ブロックのサブ画素に割り当てる前記配列番号
の１からNまでの個数が同じになるようにする。
【００２６】
このようにＫ＋１階調を均等配分することにより、フリッカを軽減させることができる
。
【００２７】
また、２つの視方向に対する個別の画像のサブ画素は市松模様に配置され、同一視方向
の画像且つ同一階調補正の一対の赤色・緑色・青色のサブ画素配置は一方の個別の画像が
Ｖ文字となり他方の個別の画像がΛ文字となっている。
【００２８】
このような規則的な分配のパターンにより、フリッカを軽減させることができる。
【００２９】
また、２つの視方向に対する個別の画像のサブ画素は市松模様に配置され、同一視方向
の画像且つ同一階調補正の一対の赤色・緑色・青色のサブ画素配置は２つの個別の画像が
同じ方向の斜めになっている。
【００３０】
このような規則的な分配のパターンにより、フリッカを軽減させることができる。
【００３１】
また、２つの視方向に対する個別の画像のサブ画素は市松模様に配置され、同一視方向
の画像且つ同一階調補正の一対の赤色・緑色・青色のサブ画素配置は２つの個別の画像が
互いに異なる方向の斜めになっている。
【００３２】
このような規則的な分配のパターンにより、フリッカを軽減させることができる。
【００３３】
また、２つの視方向に対する個別の画像のサブ画素は市松模様に配置され、同一視方向
の画像且つ同一階調補正の一対の赤色・緑色・青色のサブ画素配置は１サブ画素置きの斜
めになっている。
【００３４】
このような規則的な分配のパターンにより、フリッカを軽減させることができる。
【００３５】
また、２つの視方向に対する個別の画像のサブ画素は市松模様に配置され、同一視方向
の画像且つ同一階調補正の一対の赤色・緑色・青色のサブ画素配置は奇数のフレームの並
び模様と偶数のフレームの並び模様を異ならせる。
【００３６】
このような規則的な分配のパターンにより、フリッカを軽減させることができる。
【００３７】
また、２つの視方向に対する個別の画像のサブ画素は市松模様に配置され、同一視方向
の画像且つ同一階調補正の一対の赤色・緑色・青色のサブ画素配置は奇数番目・偶数番目
の一方のフレームを斜めにし他方のフレームをＶ文字あるいはΛ文字にする。
【００３８】
このような規則的な分配のパターンにより、フリッカを軽減させることができる。
【００３９】
また、前記Ｋ階調の補正とＫ＋１階調の補正の領域の混在パターンを複数有し、外部入
力により前記パターンを選択させる選択部を備える。
【００４０】
これにより、電子機器の使用者がフリッカの軽減パターンを変更することができる。
【００４１】
また、前記Ｎの値が異なるモードを複数備え、外部入力により前記モードを選択させる
選択部を備える。
【００４２】
これにより、電子機器の使用者が補正の階調単位を変更することができる。
【００４３】
また、同一の階調において緑色のサブ画素の輝度は赤色のサブ画素と青色のサブ画素の
輝度よりも高く、２つの視方向に対する個別の画像のサブ画素は市松模様に配置され、同
一視方向の画像におけるサブ画素配置は緑色のサブ画素を中心としてその左上、右上、左
下、右下、左、右の６つの同一視方向のサブ画素に緑色のサブ画素を配設しない。
【００４４】
このように輝度が高い緑色のサブ画素を近接しないようにすることにより、フリッカを
軽減させることができる。
【００４５】
また、２つの視方向に対する個別の画像のサブ画素は市松模様に配置され、同一視方向
の画像におけるサブ画素配置をＮフレーム中に１フレームＫ＋１階調行うところのＫ＋１
階調の同色の３つのサブ画素がフレーム変化によって２連続で隣接の画素へと移動するこ
とがない配置にする。
【００４６】
このように、Ｋ＋１階調がフレームの変化により移動することを極力避けるので、フリ
ッカを軽減させることができる。
【００４７】
また、１画素を赤色緑色青色の３つのサブ画素で構成し、該サブ画素の輝度の階調表示
が設定され、２つの視方向に対する個別の画像のサブ画素がゲートライン方向に隣接した
２画面画像を出力する２画面合成部と、補正対象のサブ画素の階調をその隣接サブ画素の
階調に基づいて補正するクロストーク補正部とを備え、
前記クロストーク補正部はＮ（Ｎは２以上の正整数）フレーム中にＫ（Ｋは整数）階調
の前記補正をＮ１（Ｎ１はＮ未満の正整数）フレーム行い、Ｋ＋１階調の前記補正をＮ−
Ｎ１フレーム行い、同一視方向の画像におけるサブ画素を１ブロックがＭ１個とした複数
のブロックで構成し、１周期のＮフレームにおいて前記Ｋ階調の補正と前記Ｋ＋１階調の
補正を行う順序を定めた配列番号を１からＮまで設定し、１ブロックのサブ画素に割り当
てる前記配列番号の１からＮまでの個数が同じになるようにし、同一階調において緑色の
サブ画素の輝度は赤色のサブ画素と青色のサブ画素の輝度に対して略Ｌ倍の輝度を有する
２画面表示装置であって、
緑色のサブ画素の輝度は赤色のサブ画素と青色のサブ画素の輝度のＬ倍として計算し、
判定対象のサブ画素とその近接サブ画素の数が合計Ｍ２となるグループを１ブロック内に
設定し、
前記１ブロックの全サブ画素の補正は前記Ｋ階調の補正をＮ−１フレーム行い、前記Ｋ
＋１階調の補正を１フレーム行うものとしたときに、１ブロックの全サブ画素に、１グル
ープにおける１サブ画素の平均輝度がブロックにおける１サブ画素の平均輝度と略同じに
なるときがＮフレーム中に少なくとも１回はある、前記配列番号の１ブロックへの割り当
てパターンである。
【００４８】
このようにグループの平均輝度がブロックの平均輝度に略等しくなるパターンにより、
フリッカを軽減させることができる。
【００４９】
また、１画素を赤色緑色青色の３つのサブ画素で構成し、該サブ画素の輝度の階調表示
が設定され、２つの視方向に対する個別の画像のサブ画素が市松模様に配置された２画面
画像を出力する２画面合成部と、補正対象のサブ画素の階調をその隣接サブ画素の階調に
基づいて補正するクロストーク補正部とを備え、
前記クロストーク補正部はＮ（Ｎは２以上の正整数）フレーム中にＫ（Ｋは整数）階調
の前記補正をＮ１（Ｎ１はＮ未満の正整数）フレーム行い、Ｋ＋１階調の前記補正をＮ−
Ｎ１フレーム行い、同一視方向の画像におけるサブ画素を１ブロックがＭ１個とした複数
のブロックで構成し、１周期のＮフレームにおいて前記Ｋ階調の補正と前記Ｋ＋１階調の
補正を行う順序を定めた配列番号を１からＮまで設定し、１ブロックのサブ画素に割り当
てる前記配列番号の１からＮまでの個数が同じになるようにした２画面表示装置であって
、
前記１ブロックの全サブ画素の補正は前記Ｋ階調の補正をＮ−１フレーム行い、前記Ｋ
＋１階調の補正を１フレーム行うものとしたときに、１ブロックの全サブ画素が、判定対
象のサブ画素の第１隣接画素の同色のサブ画素がＫ＋１階調となるフレーム順番と、判定
対象のサブ画素がＫ＋１階調となるフレーム順番と、判定対象のサブ画素の第２隣接画素
の同色のサブ画素がＫ＋１階調となるフレーム順番の３つの順番が連番になっていない、
前記配列番号の１ブロックへの割り当てパターンである。
【００５０】
このように高輝度の移動が少ないパターンにより、フリッカを軽減させることができる
。
【発明を実施するための最良の形態】
【００５１】
以下、図面を参照して本発明の最良の実施形態を説明する。但し、以下に示す実施形態
は、本発明の技術思想を具体化するための２画面表示装置を例示するものであって、本発
明をこれらに特定することを意図するものではなく、特許請求の範囲に含まれるその他の
実施形態のものにも等しく適応し得るものである。
【実施例１】
【００５２】
図１は実施例１の２画面表示装置の要部を示すブロック図である。図１の実線は２画面
表示装置１を示し、破線は２画面表示装置１が組み込まれるナビゲーション装置３０を示
す。
【００５３】
２画面表示装置１は液晶パネル２と、ナビゲーション装置３０からの２つのソース画像
（ナビゲーション画像、ＤＶＤ画像）を２画面表示処理し液晶パネル２に出力する信号処
理回路３と、信号処理回路３の動作に必要な種々のデータ（後述の補正データテーブル、
ｍｏｄｅ、ｐｔｎなど）を記憶するＥＥＰＲＯＭ４を備える。
【００５４】
信号処理回路３は２つの画像を合成する２画面合成部５と、クロストーク補正を行うク
ロストーク補正部６と、クロストーク補正部６で補正された信号を液晶パネルで表示でき
るように極性やタイミングを制御する出力信号生成部７と、ＥＥＰＲＯＭ４の入出力を制
御するＥＥＰＲＯＭコントローラ８と、ナビゲーション装置３０からの信号をクロストー
ク補正部６へ伝えるｉ２ｃバスレジスタ９と、ＥＥＰＲＯＭコントローラ８の出力とｉ２
ｃバスレジスタ９の出力いずれか一方を選択する選択部１０を備えている。
【００５５】
クロストーク補正部６は前処理部１１と補正データ送出部１２と演算部１３を備え、前
処理部１１は２画面合成部５からの画像信号より必要なデータを前処理部１１と補正デー
タ送出部１２に送出し、補正データ送出部１２はＥＥＰＲＯＭコントローラ８からの補正
テーブルを記憶するＬＵＴ（ルックアップテーブル）１４とＬＵＴ１４には無いデータを
補間するデータ補間部１５を備えて補正データを求め、演算部１３は前処理部１１からの
画像に補正データ送出部１２からの補正データを加算する。
【００５６】
図２は液晶パネル２の画素を示す図である。液晶パネル２はカラーのＷＶＧＡであり、
ゲートライン方向（横方向）に８００画素、ソースライン方向（縦方向）に４８０画素あ
る。１画素はＲＧＢの３つのサブ画素から成る。図３に示すごとく、液晶パネル２はサブ
画素の遮光パターンが市松模様（チェス盤の白黒模様）の液晶シャッターを備えている。
これにより、サブ画素の市松模様の一方が右方向（日本の運転席方向）からのみ視認する
ことができ、他方が左方向（日本の助手席方向）からのみ視認することができる（図４参
照）。サブ画素は６ビットであり、ＲＧＢの輝度は２の６乗の６４階調となる。液晶パネ
ル２の輝度の駆動制御は１階調単位である。即ち、整数でない階調を指定することはでき
ない。１画面（８００画素×４８０画素）の周期、即ちフレーム周期は６０Ｈｚである。
【００５７】
図５は補正データテーブルを示す。６４の階調を０階調〜６３階調としたとき、この補
正データテーブルは補正対象のサブ画素データ及びその右隣のサブ画素データについて夫
々偶数階調（０階調、２階調、４階調、・・・６２階調の１階調置き）に対応する（６４
／２）×（６４／２）＝３２×３２のマトリクスに、ダミーの補助階調（６４階調）の補
正データに加えて３３×３３のマトリクスにしている。これは、最終の階調（６３階調）
を後述の補間計算で求めるためである。
【００５８】
それぞれのマトリクスには、補正対象のサブ画素データと右隣のサブ画素データとから
実験的に定められた補正データが整数の階調の４ビットデータとして、例えば表１に示し
たように、ビット３を符号ビットとし、ビット２〜ビット０の３ビットを補正データとし
、−７〜０〜＋７までの補正データが格納されている。液晶パネル１を駆動する階調の最
小単位は１階調であるために実験データは四捨五入で整数に換算されて格納される。
【００５９】
【表１】
2008262157.tif 000003
【００６０】
図５において符号「０」が記入されている箇所は、補正対象のサブ画素データと右隣の
画素データとが同じ値であって水平方向クロストークは生じないために補正が不要な部分
と、補正対象のサブ画素のデータが最小値の「０」又は最大値の「６３」であって右隣の
画素データの如何にかかわらず水平クロストークが生じないために補正が不要な部分であ
る。なお、図５においては、上述した水平方向クロストークが生じないために補正が不要
な部分以外の補正データは全て省略してあるが、−７〜０〜＋７の何れかの整数値が入る
。
【００６１】
そして、ＥＥＰＲＯＭ４には、図５において記入されている符号「０」の部分を除くデ
ータ、すなわち、（３３×３３−３３×３＋２）×４ビット＝９９２×４ビットのデータ
が格納されている。この予め実験的に定められ、ＥＥＰＲＯＭ１３に格納されていたデー
タは、電源スイッチがオンにされるとＥＥＰＲＯＭ４からランダムアクセスメモリＲＡＭ
から構成されるＬＵＴ１４に読み込まれて、図５に示したように展開される。
【００６２】
本願発明の２画面表示装置１は１階調単位クロストーク補正モード、０．５階調単位ク
ロストーク補正モードと０．２５階調単位クロストーク補正モードの３つのモードを有す
る。この選択は表２の如く、２ビットのｍｏｄｅデータに基づいて選択され、ｍｏｄｅデ
ータはＥＥＰＲＯＭ４に記憶されている。また、ｍｏｄｅデータはナビゲーション装置３
０から２画面表示装置１に入力することもでき、いずれのｍｏｄｅデータを使用するかは
、ナビゲーション装置３０からのｉ２ｃ／ＥＥＰＲＯＭ選択信号によって選択される。
【００６３】
【表２】
2008262157.tif 000004
【００６４】
まず、０．２５階調単位クロストーク補正モード（ｍｏｄｅ＝ＬＨ）について説明する
。
【００６５】
図３に示す如く、２画面合成部５は、ナビゲーション装置３０のナビゲーション部３１
から入力される８００画素×４８０画素のナビゲーション画像とＤＶＤ再生部３２から入
力される８００画素×４８０画素をサブ画素の市松模様に取捨選択して、１つの８００画
素×４８０画素の画像を合成する。
【００６６】
クロストーク補正部６の前処理部１１は２画面合成部５から入力された合成画像より補
正対象のサブ画素データを補正データ送信部１２と演算部１３に出力し、右隣のサブ画素
データを補正データ送信部１２に出力する。
【００６７】
補正データ送信部１２では、２画面表示装置１に電源が供給開始されると同時にＥＥＰ
ＲＯＭ４に記憶されていた補正データテーブルがＥＥＰＲＯＭコントローラ８を介してＬ
ＵＴ１４に読み込まれる。
【００６８】
補正データ送信部１２は、補正対象のサブ画素の階調とその右隣のサブ画素の階調から
対応する補正データをＬＵＴ１４から読み出す。このとき補正データテーブルは１階調置
きであるので、間（奇数階調）の場合はデータ補間部１５において補正データを補間する
。
【００６９】
この補正データ送出部１２のデータ補間部１５の動作は次のとおりである。すなわち、
図５のＺ部分の４箇所のデータが、例えば図６に示したようにＬＵ、ＲＵ、ＬＤ、ＲＤで
ある場合、補正データがＬＵとＲＵとの間に該当する場合は（ＬＵ＋ＲＵ）／２として、
補正データがＬＵとＬＤとの間に該当する場合は（ＬＵ＋ＬＤ）／２として、補正データ
がＲＵとＲＤとの間に該当する場合は（ＲＵ＋ＲＤ）／２として、補正データがＬＤとＲ
Ｄとの間に該当する場合は（ＬＤ＋ＲＤ）／２として、更には、補正データがＬＵとＲＤ
との間に該当する場合は（ＬＵ＋ＲＵ＋ＬＤ＋ＲＤ）／４として求めることができる。Ｌ
ＵＴ１４に全階調毎のデータを展開しておいても構わないが、このような構成を採用する
と、ＥＥＰＲＯＭ４に記憶するデータ量を少なくでき、しかも、ＬＵＴ１４のサイズが小
さくなるために高速にＬＵＴ１４にアクセスでき、また、補間自体は簡単かつ高速に演算
できるため、表示がスムーズで表示画質が良好な２画面表示装置が得られる。
【００７０】
上述の補間計算は整数のＬＵ、ＲＵ、ＬＤ、ＲＤの加算を２や４で余算するので、補間
で求めた補正データは０．２５単位の階調となる。しかしながら、液晶パネルの駆動は整
数の階調でなければならないので、本願発明は４フレームを周期としてＫ階調の補正とＫ
＋１階調の補正を混入させる。また、１フレーム中のサブ画素を全てＫ＋１階調にすると
フリッカ（ちらつき）が生じ易くなる。そこで、表３の如く、Ｋ＋１階調の補正を行うサ
ブ画素の配置を１，２，３，４の４種類に区分し、４つのフレームに分布させる。
【００７１】
尚、上述の実施例の補正データテーブルに格納される補正データは４ビットの整数であ
ったが、これを小数を含む値で格納することも可能である。このときは補間する奇数階調
だけでなく偶数階調も１階調未満のクロストーク補正を行うことができる。
【００７２】
【表３】
2008262157.tif 000005
【００７３】
例えば、補間計算した補正が１．２５階調の場合、４フレーム中の１フレーム目（４ｎ
−３フレーム目）のサブ画素の配列１について２階調の補正を行い、配列２，３，４につ
いて１階調の補正を行う。４フレーム中の２フレーム目（４ｎ−２フレーム目）のサブ画
素の配列２について２階調の補正を行い、配列１，３，４について１階調の補正を行う。
４フレーム中の３フレーム目（４ｎ−１フレーム目）のサブ画素の配列３について２階調
の補正を行い、配列１，２，４について１階調の補正を行う。４フレーム中の４フレーム
目（４ｎフレーム目）のサブ画素の配列４について２階調の補正を行い、配列１，２，３
について１階調の補正を行う。
【００７４】
これにより、４フレームの補正順序が、配列１については１，０，０，０となり、配列
２については０，１，０，０，０となり、配列３については０，０，１，０となり、配列
４については０，０，０，１となって、いずれもＫ＋１階調補正のタイミングが異なる。
尚、小数点以下が０．５階調の補正の場合は、配列１と配列３及び配列２と配列４のＫ＋
１階調補正のタイミングが同じになる。
【００７５】
図７、図８、図９は配列１，２，３，４の配置の４つのパターンを示す。図７は視方向
が左の画面（１２サブ画素×８サブ画素）であり、図８は視方向が右の画面であり、図９
は左右を一緒にした画面である。図７、図８、図９いずれも左方に０．５階調単位補正の
パターンを４種類示し、右方に０．２５階調単位補正のパターンを４種類示す。０．５階
調単位補正のパターンは右方に０．２５階調単位補正のパターンの配列３を配列１と同じ
にし、配列４を配列２と同じにしたものであり、パターンの設定は同一である。図７、図
８において、パターン２−１とパターン４−１は配列１と配列３のＲＧＢのペアが１サブ
画素置きに右下がり斜めに並び、配列２と配列４のＲＧＢのペアが１サブ画素置きに右上
がり斜めに並んでいる。また、パターン２−１は配列１，２，３，４の配置のＲＧＢのペ
アが横向きに並んでいる。パターン２−２とパターン４−２は配列１，２，３，４の配置
のＲＧＢのペアが右下がり斜めに並んでいる。パターン２−３とパターン４−３は配列１
と配列４のＲＧＢのペアが右上がり斜めに並び、配列２と配列３のＲＧＢのペアが右下が
り斜めに並んでいる。また、パターン２−３は配列１，２，３，４の配置のＲＧＢのペア
がＶ文字形とΛ文字形に並んでいる。パターン２−４とパターン４−４は配列１と配列３
のＲＧＢのペアが右上がり斜めに並び、配列２と配列４のＲＧＢのペアがＶ文字形に並ん
でいる。
【００７６】
フレーム周期は６０Ｈｚであるので、このようにＮ（Ｎは２以上の正整数）周期のフレ
ーム中にＫ階調の補正とＫ＋１階調の補正を混在させることで、網膜残像効果による見か
け上の１階調未満単位の補正を行うことができる。
【００７７】
また、Ｋ＋１階調の補正を行うサブ画素の配置を配列１，２，３，４の４種類に区分し
、４つのフレームに分布させているので、いいかえれば、１フレーム中にＫ階調の補正と
Ｋ＋１階調の補正を混在させているのでフリッカの発生を低減させることができる。配列
１，２，３，４の配置のパターンは図７、図８、図９に示す如く、種々の規則的なパター
ンにより、夫々均一に分布され、フリッカの発生をより低減させることができる。尚、上
述の遮光パターンは市松模様であったが、ストライブ（縦縞）模様など種々の模様に本願
発明を適用させることができる。
【００７８】
表４に示す如く、図７、図８、図９の４つのパターンは２ビットのｐｔｎによって選択
される。ｐｔｎはｍｏｄｅと同様、ｐｔｎデータはＥＥＰＲＯＭ４に記憶されている。ま
た、ｐｔｎデータはナビゲーション装置３０から２画面表示装置１に入力することもでき
、いずれのｐｔｎデータを使用するかは、ナビゲーション装置３０からのｉ２ｃ／ＥＥＰ
ＲＯＭ選択信号によって選択される。
【００７９】
【表４】
2008262157.tif 000006
【００８０】
表５は補正対象のサブ画素を補正する補正データを示す。この補正データは４ビットの
ｈ[3:0]であり、ｍｏｄｅにより異なる。上述の例はｍｏｄｅ＝ＬＨの０．２５階調単位
補正であるので、補正範囲は−１．７５階調から＋１．７５階調となり、狭い。しかしな
がら、ｈ[3:0]のビット数を増加することで補正範囲を容易に広くすることができる。
【００８１】
【表５】
2008262157.tif 000007
【００８２】
上述の如く、補正データ送出部１２はｍｏｄｅとｐｔｎで指定されたモードとパターン
に準じ、また、補正データテーブルに基づいて、フレーム毎に補正データを演算部１３に
出力する。そして、演算部１３では、前処理部１１から送出された補正対象のサブ画素デ
ータに補正データ送出部１２から送出された補正データを加算することにより補正後のサ
ブ画素データを得て、この補正後のサブ画素データを出力信号生成部７に送出する。出力
信号生成部７はクロストーク補正部６で補正された信号を液晶パネル２で表示できるよう
に極性やタイミングを制御して、液晶パネル２に出力する。このようなサブ画素のデータ
の補正は全てのサブ画素データに対して１サブ画素ずつ順次右方向に行われる。
【００８３】
上述の実施例は、補正データテーブルが１階調置きであったので、その補正データの単
位に合わせて０．２５階調単位補正モードにした。しかしながら、０．５階調単位補正モ
ードや１階調単位補正モードはクロストークが０．２５階調単位補正モードより劣るとい
う短所があるが商品化できるレベルである。そして、表５に示す如く、０．５階調単位補
正モードや１階調単位補正モードには補正範囲が広いという長所がある。したがって、本
願発明は、ｉ２ｃバスレジスタを設けて使用者によりモードの選択が可能になっている。
また、フリッカ軽減のためのパターンについてもｉ２ｃバスレジスタを設けて使用者によ
り選択が可能になっている。
【実施例２】
【００８４】
実施例１は１フレーム中のＫ階調とＫ＋１階調を４種類の規則性あるパターンで混在さ
せたが、実施例２ではフリッカの要因に基づいてフリッカの判定を定量化する方法を考え
、この値に基づいてフリッカが発生しにくいパターンを生成する。
【００８５】
図７〜９のパターンは横方向に６つのサブ画素と縦方向に４つのサブ画素のブロックを
繰り返し配置している。このように、通常は、所定の単位ブロックのサブ画素を繰り返し
配置する。そこで、実施例２では６（横）×４（縦）のサブ画素を１つのブロックとして
配置されるものとして定量化を行う。
【００８６】
図１０に示す如く、市松模様の２画面表示装置であり、２０階調を３フレーム行い、２
１階調を１フレーム行って、見かけ上の２０．２５階調を行う場合の右視方向の画面を例
に説明する。図１０において、右上がりの斜線はＲ（赤色）、約１０％（薄い方）の網掛
けはＧ（緑色）、約２０％（濃い方）の網掛けはＢ（青色）を示し、“２０”と“２１”
は階調の値を示す。また、図１０のパターン番号を４−５とする。また、１画素は正方形
であるので、サブ画素は長方形となる。
【００８７】
表６は１周期４フレームにおいて２０階調と２１階調の順番を割り当てた表である。４
種類の割り当てがあり、この４種類を配列番号として番号を付す。配列番号Ｈは１周期の
Ｈフレーム目に２１階調となる。例えば、配列番号２は２フレーム目に２１階調となり、
１，３，４フレーム目に２０階調となる。
【００８８】
【表６】
2008262157.tif 000008
【００８９】
図１１は図１０の４つのフレーム別の図を“１”〜“４”の配列番号によって１つの図
で示したものである。
【００９０】
フリッカの要素として、フレーム内の輝度の不均一とフレーム内の輝度の変化がある。
輝度が片寄らずに均一に分散している方がフリッカを生じにくい。また、動画の如く、輝
度が高いサブ画素がフレームの変化に伴って移動するように見えない方がフリッカを生じ
にくい。
【００９１】
まず、輝度の均一について説明する。サブ画素数が６（横）×４（縦）の１ブロックの
右視方向の画面には２０階調のサブ画素が９個、２１階調のサブ画素が３個ある。また、
１ブロックには緑色が４個ある。図１２の階調―輝度曲線に示す如く、同一階調において
、赤色と青色の輝度は略同一であり、緑色は赤色と青色の約４倍の輝度がある。緑色は人
が輝度を高く感じる色であることから、液晶パネルが明るく感じるように、同一階調にお
いて緑色の輝度が赤色、青色よりも高く設定される。
【００９２】
そこで、１階調ＵＰによる輝度の変化を計算する。右視方向の画面の１ブロックの１フ
レームにおいて２０階調よりも明るくなるものを抽出すると、２１階調のＲＧＢが夫々１
つずつある。同一階調におけるＲとＢの輝度は略同一であり、ＧはＲＢの約４倍の輝度で
あるので、Ｒの２０階調と２１階調の輝度差のレベルを１とすれば、１ブロックの１フレ
ームは１＋４＋１＝６レベルのＵＰとなる。１ブロックの右視方向のサブ画素の数は１２
であるので、平均が１サブ画素当たり０．５レベルＵＰとなるように２１階調のサブ画素
およびＧの配置をすればよいことになる。
【００９３】
具体的な方法を説明する。図１３に示す如く、基準のサブ画素と左上、右上、左、右、
左下、右下の６つの近接サブ画素の合計７つを１グループと考える。サブ画素は長方形（
ＲＧＢ３つのサブ画素で正方形）である。したがって、上下のサブ画素は基準のサブ画素
から離れるのでグループには含まない。そうすると、１グループのサブ画素の数は７つで
あるので、１グループの輝度が０．５レベル×７＝３．５レベルとなるのが理想的である
。しかしながら、レベルの集計は整数であるので、四捨五入により４レベルを理想的なレ
ベルとする。
【００９４】
表７は図１３の輝度差のレベルを計算した表である。
【００９５】
【表７】
2008262157.tif 000009
【００９６】
その計算方法は、基準のサブ画素と６つの近接サブ画素について、その配列番号が１周
期内の現在のフレーム番号と等しくなければ、２０階調であるので、輝度差がなく、レベ
ル０とする。その配列番号が１周期内の現在のフレーム番号と等しければ、赤色と青色の
ときはレベル１にし、緑色のときはレベル４にする。１フレーム目、２フレーム目、３フ
レーム目、４フレーム目毎にレベルを合計し、夫々合計が４レベルであればポイントを１
にし、４レベルでなければポイントを０にする。
【００９７】
１ブロックについて４フレーム×１２サブ画素の４８のポイント（輝度均一）を求める
。その合計のポイントが大きい程、輝度の不均一によるフリッカが生じにくいと判定する
。
【００９８】
このように、判定対象のサブ画素とその近接サブ画素を含むグループを設定し、１グル
ープにおける１サブ画素の平均輝度がブロックにおける１サブ画素の平均輝度と略同じと
きに加算のポイントとし、このポイントを１ブロック内の全サブ画素について求め、更に
ポイントを４フレームについて求めて合計する。このように平均輝度に基づいて定量化す
るので、輝度の不均一によるフリッカの判定を行うことができる。また、輝度が高い緑色
を考慮しているので精度が高い定量化を行うことができる。この定量化の判定によってフ
リッカを軽減したパターンを得ることができる。
【００９９】
次に輝度の変化について説明する。図１４、図１５は悪いパターンの例を示す図である
。図１４、図１５では同色のフレーム番号が下方に１ずつ増加しており、フレームの変化
に伴い下に向かって波打つように見える。
【０１００】
そこで、右上隣接画素の同色サブ画素と右下隣接画素の同色サブ画素（図１６の位置を
参照）の配列番号が判定対象の配列番号を中央の位置にして３つの連番を形成する番号と
なればポイントを０にし、３つの連番とならなければフリッカを生じにくいものとしてポ
イントを１にする。ここで、隣接画素とは、図２の配列において、上下左右と斜めの８つ
の画素をいう。また、３つの連番は昇順と降順のいずれでもよく、１と４は連番とする。
【０１０１】
１ブロックについて１２サブ画素の１２のポイント（輝度変化）を求める。その合計の
ポイントが大きい程、輝度の変化によるフリッカが生じにくいと判定する。
【０１０２】
このように、判定対象のサブ画素の右上の画素の同色のサブ画素が２１階調となるフレ
ーム順番と、判定対象のサブ画素が２１階調となるフレーム順番と、判定対象のサブ画素
の右下の画素の同色のサブ画素が２１階調となるフレーム順番の３つの順番が連番になっ
ていないときに加算のポイントとする。即ち、同色の高い輝度のサブ画素のフレーム変化
移動を定量化するので、輝度の変化によるフリッカを判定することができる。この定量化
の判定によってフリッカを軽減したパターンを得ることができる。尚、上述の移動方向は
昇順、降順の２種類、即ち右上隣接、判定対象、右下隣接の配列番号が１，２，３の昇順
ときは右上隣接を基準として左下から右下へ移動し、右上隣接、判定対象、右下隣接の配
列番号が３，２，１の降順ときは右下隣接を基準として左上から右上へ移動する。しかし
ながら、移動方向は他の方向でもよい。即ち、フレーム変化によって２連続で隣接の画素
（上下左右と斜めの８画素）へ移動することがない配置のときに加算のポイントにしても
よい。
【０１０３】
４８の輝度均一のポイントと１２の輝度変化のポイントを合計する。その合計のポイン
トが大きい程、総合的なフリッカが生じにくいと判定する。
【０１０４】
図１７はポイントの合計が大きいパターンの例を示す図である。このパターン番号を４
−５とする。パターン４−５では同一グループ内に緑色が１つとなるように配設され、ま
た、隣接する同色の配列番号が連番３つにならないように配設される。図１７に示す如く
、各サブ画素の輝度均一のポイントは１、輝度変化はポイント１となり、ポイントの合計
は２４となる。
【０１０５】
実施例２は４フレーム中の１フレームが１輝度高い、小数０．２５階調のＦＲＣであっ
たが、これを小数０．５階調や小数０．７５階調に適用することができる。小数０．５階
調は小数０．２５階調の２倍と考えて配列番号４を２に、３を１に変更すればよく、小数
０．７５階調は小数０．２５階調の正負逆と考えてそのまま適用すればよい。
【０１０６】
尚、上述の補正データテーブルは整数の補正データを記憶させたが、小数を含む実験値
にしてもよい。このときのフレームのサイクルがＮのときは補正データが１／Ｎ階調単位
になるようにすればよい。
【０１０７】
また、上述の実施例は液晶パネルであったが、本願発明は有機ＥＬにも適用することが
できる。
【図面の簡単な説明】
【０１０８】
【図１】実施例の２画面表示装置の要部を示すブロック図である。
【図２】液晶パネルの画素配列を示す図である。
【図３】２つの視方向に対する個別の画像の合成および市松模様のサブ画素配列を示す図である。
【図４】２つの視方向に対する個別の画像の表示を示す図である。
【図５】補正データテーブルを示す図である。
【図６】補正データテーブルには格納されていない階調補正データを補間計算する方法を示す図である。
【図７】フリッカを防止するための４つのパターンを示す左視方向の図である。
【図８】フリッカを防止するための４つのパターンを示す右視方向の図である。
【図９】フリッカを防止するための４つのパターンを示す左／右視方向の図である。
【図１０】フリッカ判定における２０階調／２１階調のパターン例を示す図である。
【図１１】図１０をフレーム番号で示す図である。
【図１２】緑色の輝度が高いことを示す階調値―輝度の線図である。
【図１３】輝度の不均一によるフリッカ判定を行うときのグループを示す図である。
【図１４】輝度の変化によるフリッカが生じ易い例を示す図である。
【図１５】図１４をフレーム番号で示す図である。
【図１６】輝度の変化による判定対象の右上と右下のサブ画素の位置を示す図である。
【図１７】ポイントの計算結果を示す図である。
【図１８】従来例に係る液晶２画面表示装置の断面図である。
【図１９】図１９（ａ）は左側及び右側のそれぞれの入力画像と２画面表示時の画像を示す模式図であり、図１９（ｂ）は液晶２画面表示装置の画素毎の輝度レベルを表す図である。
【符号の説明】
【０１０９】
１    ２画面表示装置
２    液晶パネル
３    信号処理回路
４    ＥＥＰＲＯＭ
５    ２画面合成部
６    クロストーク補正部
９    ｉ２ｃバスレジスタ
１０    選択部
１１    前処理部
１２    補正データ送出部
１３    演算部
１４    ＬＵＴ
１５    データ補間部
【図１】
2008262157.tif 000010
【図２】
2008262157.tif 000011
【図３】
2008262157.tif 000012
【図４】
2008262157.tif 000013
【図５】
2008262157.tif 000014
【図６】
2008262157.tif 000015
【図７】
2008262157.tif 000016
【図８】
2008262157.tif 000017
【図９】
2008262157.tif 000018
【図１０】
2008262157.tif 000019
【図１１】
2008262157.tif 000020
【図１２】
2008262157.tif 000021
【図１３】
2008262157.tif 000022
【図１４】
2008262157.tif 000023
【図１５】
2008262157.tif 000024
【図１６】
2008262157.tif 000025
【図１７】
2008262157.tif 000026
【図１８】
2008262157.tif 000027
【図１９】
2008262157.tif 000028